(57)【要約】【課題】商品補充などのメンテナンス作業を行う際に、引き戸を取り外すことなしにケース本体の上面開口部を広く開放してメンテナンス作業が楽に行えるように引き戸のストッパ機構を改良する。【解決手段】ケース本体1の上面開口部に引き戸７を配備したショーケースで、少なくとも２枚を組とする複数組(図示例は４枚)の引き戸を前記開口部の前後縁に敷設したガイドレール5に沿って左右へスライド可能に案内支持し、かつガイドレールの中央位置に仕切り用のストッパを設けてその両側に並ぶ引き戸の移動範囲を規制するようにしたものにおいて、板金製のストッパ８をガイドレール５から分離して両側にクッション座９を付設した独立部品とした上で、ストッパに手締め化粧ねじ１１を結合し、かつ該ねじをケース上面に形成した前後方向の長穴１２に嵌挿してストッパ締結位置を（ａ）図の定常位置，（ｂ）図の退避位置に変更できるようにし、メンテナンス作業時にはストッパ8を後退させて引き戸7の開放可能な範囲を引き戸2枚相当に広げる。【選択図】        図１
2007014593.tif 000002
【特許請求の範囲】
【請求項１】
ケース本体の上面開口部に庫内を透視可能な引き戸を配備したショーケースであって、少なくとも２枚を組とする複数組の引き戸を前記開口部の前後縁に敷設したガイドレールに沿って左右方向へスライド可能に案内支持し、かつガイドレールの中央位置に仕切り用のストッパを設けてその両側に並ぶ引き戸の移動範囲を規制するようにしたものにおいて、
前記ストッパをガイドレールから分離した独立部品とした上で、該ストッパを手動操作でガイドレールのレール溝内から背後の退避位置に移動させるストッパ解除手段を備えたことを特徴とするショーケース。
【請求項２】
請求項１記載のショーケースにおいて、ストッパ解除手段として、ストッパに手締め化粧ねじを結合し、かつ該ねじをケース上面に形成した前後方向の長穴に嵌挿してストッパの締結位置を定常位置から退避位置に変更するようにしたことを特徴とするショーケース。
【発明の詳細な説明】
【技術分野】
【０００１】
本発明は、例えばコンビニエンスストアなどの店舗に据付けて使用するアイスクリームストッカを対象に、そのケース本体の上面開口部に引き戸を装備したショーケースに関する。
【背景技術】
【０００２】
頭記のアイスクリームストッカは、庫内への外気侵入による熱負荷の増加，保冷性能の低下を防ぐために、ケース本体の上面開口部に庫内が透視できる透明樹脂あるいはガラス製の引き戸を備え、常時は引き戸を閉じてケース本体の開口部を塞ぐようにしている（例えば、特許文献１参照）。
次に、アイスクリームストッカを例に、引き戸付きショーケースの従来構成を図３〜図５に示す。まず、図３，図４において、１は断熱筐体になる上面開放形のケース本体、２は商品（アイスクリーム）をストックする庫内の内箱、３は内箱２の外周側に画成した冷気循環通風路に配置した冷却器（冷凍機のエバポレータ）、４は庫内ファンであり、ケース本体１の後部に立設した天蓋部１ａ，およびフロント側上端部１ｂにケース長手方向にガイドレール５，６を敷設し、このガイドレール５と６の間にまたがってケース本体１の上面開口部に引き戸７が配置されている。
【０００３】
ここで、引き戸７は、少なくとも２枚を組として左右に並ぶ複数枚(図示例は４枚)の引き戸がケース本体1に装備した次記構造のガイドレールに沿ってスライド可能に案内支持されている（図４参照）。
すなわち、図５は本体ケース１の天蓋部１ａに敷設したガイドレール５の正面図で、該レール５には上下段に平行して並ぶ２列のレール溝５ａ，５ｂが形成されている。なお、図示しないが本体ケースのフロント側に敷設したガイドレール６も同様な構造である。そして、前記した４枚の引き戸７を閉じた状態でケースの中央寄りに並ぶ２枚の引き戸はレール５，６の上段側レール溝に嵌め込み、ケースの左右両端側に並ぶ残り２枚の引き戸を下段側のレール溝に嵌め込み、上側レール溝に嵌め込んだ引き戸と互い違いに開け，閉めするようにしている。なお、７ａは各枚の引き戸７の側縁に設けた把手である。
【０００４】
また、従来のショーケースでは、客が引き戸７を開いて庫内から商品を取り出す際に、引き戸７の開放可能な範囲を戸板１枚分相当の範囲に制限して庫内への外気侵入を最小限に抑えるために、前記のレール５の中央位置には、図５で示すように引き戸７の移動範囲を規制する仕切り部材として板金製のストッパ８がガイドレール５のレール溝内に突き出すよう溶接ないしビスで固定されている。さらに、上側レール溝５ａの左右両端，および下側レール溝５ｂの中央（前記ストッパ８の左右両側）にはゴム製のクッション座９を設け、引き戸７を開け，閉めする際に把手７ａに掛けた手の指が終端位置で挟まれるのを防ぐようにしている。なお、図３において、１０はレール５に沿って本体ケース１の庫内側に設けた照明灯である。
上記の構成で、ショーケースの上面開口部の右端に並ぶ引き戸７を開くように左方向に寄せると隣の引き戸の裏側に潜り込み、開いた引き戸７の左側縁が前記ストッパ８に当ったところで停止する。図４はこの引き戸の開放状態を表しており、ケース上面開口部の開放範囲は図示のように引き戸１枚分に相当する幅Ａとなる。
【特許文献１】特開２００２−２３８７１１号公報
【発明の開示】
【発明が解決しようとする課題】
【０００５】
ところで、前記した従来構造の引き戸付きショーケースでは、ユーザーサイドで行うメンテナンスの作業性で次記のような難点がある。
すなわち、ショーケースで商品補給，庫内清掃などのメンテナンス作業を行う際に、引き戸７が前記のように戸板１枚分の幅Ａ（図参照）だけしか開くことができないと、ケース本体の上面を覆っている他の引き戸が邪魔になって作業を能率よく行うことができず、またメンテナンスの作業時間が長引くとそれだけ庫内温度が上昇して商品の品質が劣化するといった問題もある。そのために、現状では多くの場合に引き戸７をガイドレール５，６から外して作業を短時間で済ませるようにしているのが現状であるが、引き戸７の取り外し，再組み立てには手間が掛かることから、ユーザーサイドのニーズとしてその改善策が強く望まれている。
【０００６】
本発明は上記の点に鑑みなされたものであり、その目的は前記課題を解決して商品補充などのメンテナンス作業を行う際に、引き戸を取り外すことなしにケース本体の上面開口部を広く開放してメンテナンス作業が楽に行えるように改良した引き戸付きショーケースを提供することにある。
【課題を解決するための手段】
【０００７】
上記目的を達成するために、本発明によれば、ケース本体の上面開口部に庫内を透視可能な引き戸を配備したショーケースで、少なくとも２枚を組とする複数組の引き戸を前記開口部の前後縁に敷設したガイドレールに沿って左右へスライド可能に案内支持し、かつガイドレールの中央位置に仕切り用のストッパを設けてその両側に並ぶ引き戸の移動範囲を規制するようにしたものにおいて、
前記ストッパをガイドレールから分離した独立部品とした上で、該ストッパを手動操作によりガイドレールのレール溝から背後の退避位置に移動させるようにするストッパ解除手段を備える（請求項１）。
また、前記のストッパ解除手段の具体的な態様として、ストッパに手締め化粧ねじを結合し、かつ該ねじをケース上面に形成した前後方向の長穴に嵌挿してストッパの締結位置を定常位置，退避位置に変更できるようにする（請求項２）。
【発明の効果】
【０００８】
上記の構成において、常時はレールの中央位置に配したストッパをレール溝内への突き出し位置に固定しておくことで、引き戸の開放可能な範囲が戸板１枚分の狭い幅に制限される。一方、ユーザーサイドで行うショーケースへの商品補充，庫内清掃などのメンテナンス作業を行う場合には、前記の化粧ねじを緩めてストッパを定常位置からレール背後の退避位置に移動させることにより、ケース本体の開口部に並べた左右４枚の引き戸のうち、右側あるいは左側に並ぶ２枚の引き戸をガイドレールのストッパ位置を超えて反対側の領域に押し開くことが可能となり、これにより引き戸を取り外すことなしにケース上面を広く開放してメンテナンス作業を短時間で能率よく行うことができる。
【発明を実施するための最良の形態】
【０００９】
以下、本発明の実施の形態を図１（ａ），（ｂ）および図２に示す実施例に基づいて説明する。
すなわち、図示実施例ではガイドレール５の中央位置に配置した板金製のストッパ８を従来構造のようにガイドレール５に固定せずに、ストッパ片の両側にクッション座９を組み付けた独立部品としてガイドレール５の中央位置にレール背後側からレール溝へ出入可能に配置した上で、ストッパ解除手段として、ストッパ８にはネジ座を設けてここにストッパ締結用の手締め化粧ねじ１１を結合し、該化粧ねじ１１を介してストッパ８，クッション座９を本体ケース１の天蓋部１ａに締結固定するようにしている。また、前記化粧ねじ１１はその上端ノブ（つまみ）を天蓋部１ａの上面側に引き出した上で、該ねじを天蓋部１ａの天板に形成した前後方向の長穴１２に嵌挿し、ガイドレール５に対してストッパ８の締結位置を前後へ移動できるようにしている。
【００１０】
かかる構成で、常時は図１（ａ）で示すように化粧ねじ１１を長穴１２に沿ってケース前方に移動してこの位置にストッパ８を締結しておく。これにより、ストッパ８がガイドレール５のレール溝内に突き出し、ショーケースの上面開口部に並べて配した個々の引き戸７の移動可能な範囲が図示の範囲Ｂ（ガイドレールの長さの半分）に規制される。したがって引き戸７の開放可能な範囲は図４と同様に戸板１枚分の幅Ａである。
一方、ユーザーサイドで商品補充などのメンテナンス作業を行う場合には、図１（ｂ）で表すように化粧ねじ１１を緩めて長穴１２に沿い後方に移動する。これにより、化粧ねじ１１に結合したストッパ８およびその両側に付設したクッション座９がガイドレール５レール溝から抜け出してその背後に退避する。この状態では引き戸７はストッパ８，クッション座９の拘束されることなくストッパ８の位置を超えて図示矢印Ｐのように反対側領域へ移動可能となる。
【００１１】
したがって、通常の使用状態でストッパ８の右側領域に並んでいた２枚の引き戸７を図２で表すように重ね合わせて左側領域の位置まで押し開くことが可能となり、これにより引き戸７の開放範囲Ｃをショーケースの間口の半分まで広げて商品補充などのメンテナンス作業を行うことができる。
なお、メンテナンス作業の終了後は、各枚の引き戸７を元の閉位置に戻した上で化粧ねじ１１を図１（ａ）の位置に移動し、ストッパ８をこの位置にねじ締結することにより、ショーケースの引き戸７は通常の使用状態に復帰する。
なお、ストッパ８を退避位置に移動させるストッパ解除手段として、図示実施例では手締め化粧ねじ１１と長穴１２を組合せて構成しているが、本発明はこの機構に限定されるものではなく、図示例と異なる機構を応用したストッパ解除機構を採用して実施することもできる。
【図面の簡単な説明】
【００１２】
【図１】本発明の実施例による引き戸ストッパの解除機構の構造，機能の説明図で、（ａ），（ｂ）はそれぞれ定常使用，ストッパ解除の状態を表す図
【図２】図１のストッパを退避位置に移動してケースの右側に並ぶ２枚の引き戸を開いた状態を表すショーケースの正面図
【図３】本発明の対象となる引き戸付きショーケースの側視断面図
【図４】従来構成のショーケースで右端の引き戸を開いた状態での正面図
【図５】図４におけるガイドレールの詳細構造を示す拡大正面図
【符号の説明】
【００１３】
１    ショーケースの本体ケース
１ａ  天蓋部
５，６  ガイドレール
５ａ，５ｂ  レール溝
７    引き戸
７ａ  引き戸の把手
８    ストッパ
９    クッション座
１１    手締め化粧ねじ
１２    長穴
【図１】
2007014593.tif 000003
【図２】
2007014593.tif 000004
【図３】
2007014593.tif 000005
【図４】
2007014593.tif 000006
【図５】
2007014593.tif 000007